(57)【要約】【課題】  本考案の目的は、血液，尿などの生体サンプルの分析、前処理などを行う検体処理システムにおいて、保冷が必要な検体および精度管理に必要な試料を搬送ラック単位で保冷し、検体および試料の蒸発や変質を防止可能とし、必要な時にラック単位での検体の出し入れができるようにすることにある。【解決手段】  検体処理システムの中に、保冷機能を持たせた保冷庫をバッファユニットに設置し、保冷庫外に設置した移載機構により、検体ラックをランダムにアクセスして出し入れすることにより実現できる。【選択図】図２
0003133890.tif 000002
【実用新案登録請求の範囲】
【請求項１】
検体処理装置と、該検体処理装置に検体を搬送する搬送装置と、
該搬送装置に接続され、検体を一時的に待機させる待機装置と、
を備えた検体処理システムにおいて、
前記待機装置に該待機装置に待機させる検体の少なくとも一部を保冷する保冷装置を備えたことを特徴とする検体処理システム。
【請求項２】
請求項１記載の検体処理システムにおいて、
前記待機装置で待機する検体は１つ以上の検体を載置可能な検体ラック上に載置されることを特徴とする検体処理システム。
【請求項３】
請求項１記載の検体処理システムにおいて、
前記保冷装置はペルチェ素子を使用することを特徴とする検体処理システム。
【請求項４】
請求項１記載の検体処理システムにおいて、
保冷装置上面に開閉扉を備え、該開閉扉を介して保冷装置外に設置した検体ラック把持機構により、保冷装置内の検体ラックをランダムアクセス可能に格納，取り出しを行うことを特徴とする検体処理システム。
【請求項５】
請求項１記載の検体処理システムにおいて、
保冷装置側面に開閉扉を備え、該開閉扉を介して保冷装置外に設置した検体ラック把持機構により、保冷装置内の検体ラックをランダムアクセス可能に格納，取り出しを行うことを特徴とする検体処理システム。
【請求項６】
請求項４項記載の検体処理システムにおいて、
保冷装置内にローラを設置することを特徴とする検体処理システム。
【請求項７】
請求項１記載の検体処理システムにおいて、
ラックの出し入れに同期して保冷庫の扉を開閉する扉開閉手段を備えたことを特徴とする検体処理システム。
【考案の詳細な説明】
【技術分野】
【０００１】
本考案は、検査のために採取した血液や尿などの検体を保管および保冷し、精度管理に必要な試料の提供を行う検体処理システムに関する。
【背景技術】
【０００２】
従来、検体処理システムでは、精度管理に必要な検体の保冷格納は、１０００検体以上を収納可能な大型保冷庫を用いて、保冷庫内に設置したＸＹＺ機構とハンド機構により、検体を試験管単位で格納，取り出しを行っていた。また、搬送路バッファとしては、たとえば特許文献１に記載されたものが知られている。
【０００３】
【特許文献１】特開２００５−２７４２８９号公報
【考案の開示】
【考案が解決しようとする課題】
【０００４】
検体の保冷には大型の保冷庫を使用して全ての検体を保管していたため、格納および取り出しの作業に時間がかかっていた。そのため、再測定の必要な検体の取り出しに時間を要し、分析結果などの報告に遅れが生じる。また、精度管理に必要な試料の供給は一定時間の間隔で人の手を介在して投入している。本考案の目的は、保冷が必要な検体および精度管理に必要な試料を搬送ラック単位で保冷し、検体および試料の蒸発や変質を防止可能とし、必要な時にラック単位での検体の出し入れがきるようにすることにある。
【課題を解決するための手段】
【０００５】
本考案の構成は、検体処理システムの中に保冷機能を持たせた保冷庫をバッファユニットに設置し、保冷庫外に設置した移載機構により、検体ラックをランダムにアクセスして出し入れすることにより実現できる。また、保冷するラック数を少数にすることによりペルチェ素子等を使用した小形冷却装置の保冷庫にすることにより実現できる。
【考案の効果】
【０００６】
以上説明したように、バッファユニットに保冷庫を設置することにより保冷の必要な検体や精度管理に必要な試料を保冷，格納可能となり、検体および試料の蒸発や変質を防止し、必要な時にラック単位での供給を図ることができる。
【考案を実施するための最良の形態】
【０００７】
以下、本考案のシステム構成の実施例を図１に示す一実施例により説明する。
【０００８】
図１は、保冷庫付きバッファユニット１を使用した構成の１つの模式的な例で、投入ユニット２，搬送部３，収納ユニット４をコアにし、処理ユニット５を用した構成に投入ユニット２と処理ユニット５の間に保冷庫付きバッファユニット１を構成したシステム構成の図である。また、処理ユニット５および保冷庫付きバッファユニット１の構成は搬送部の拡張により増設可能とする。図２は保冷庫付きバッファユニット１の構成を示した例である。保冷庫付きバッファユニット１は一般用検体ラックを設置するバッファ部１０と保冷が必要な検体および精度管理用の試料を保管する保冷部１１の保冷庫を設置する。バッファ部１０および保冷部１１には複数ラック１２の実装が可能である。バッファ部１０および保冷部１１のラック１２には移載機構部１４に設置してあるハンド機構部１３を使用することによりポジションに関係なくランダムにラック１２にアクセス可能で、必要とされる任意のラック１２のみを取り出せる。取り出されたラック１２はハンド機構部１３で保持したまま、移載機構部１４により搬送部１５を移動してメイン搬送部１６に送られ、メイン搬送部１６より下流ユニットの処理ユニット５に供給される。また、メイン搬送部１６を使用して上流ユニットより搬送されたラック１２はハンド機構部１３でラック１２を保持し、保冷部１１の中にラック１２を格納する。図３は保冷庫の外観を示した例である。保冷庫の側面２０に冷却装置２１を取り付けることにより、保冷庫内に設置されるラック１２に実装されている検体容器２２内の検体および試料を保冷し、蒸発や変質を防止する。冷却装置２１は例えばペルチェ素子などを使用し、冷却材や冷却水などは使用しない。また、冷却装置２１は保冷庫上面２３にも取り付け可能とする。図４は保冷庫内に設置されるラック１２に実装される検体容器２２を示した例である。ラック１２には検体容器２２や検体容器ａ２４を実装し、それぞれの容器内に試料２５が入れてある。また、検体容器２２上に検体容器ａ２４の実装も可能とする。図５は保冷庫内に設置されたラック１２の移載方法を示した例の断面図である。保冷庫３０の上面を自動開閉することにより保冷庫３０内のラック１２にアクセスできる。保冷庫の開閉は、保冷上できるだけ短時間とするため、ＸＹＺ機構の動作に同期して開閉される。保冷庫３０内に設置されたラック１２は移載機構１４に取り付けてあるハンド機構１３を使用してラック１２を掴み保持する。その状態でラック１２を持ち上げ保冷庫３０内から取り出し、次工程の処理を行う。格納時は反対の処理を行う。また、ハンド機構１３は搬送ラック１２を把持し、検体容器２２には接触しない。図６は保冷庫３０内に設置されたラック１２の移載方法を示した例の断面図である。保冷庫３０の側面を自動開閉することにより保冷庫３０内のラック１２にアクセスできる。ラック１２を移載する時にラック１２と保冷庫３０の摩擦を少なくするのに、ラック１２底面にローラ４０を実装することによりラック１２の出し入れをスムーズにすることが可能になる。
【０００９】
以上の機構の動作は、図示していない上位のホストコンピュータからの情報，指令により、本装置に内蔵している図示していないマイクロプロセッサで構成された搬送制御コンピュータにより制御される。また、保冷庫３０は、専用の制御装置により温度制御されるが、搬送制御コンピュータに余力があれば、そこで制御しても良い。
【図面の簡単な説明】
【００１０】
【図１】保冷庫付きバッファユニットを構成したシステム構成の一例を示す図である。
【図２】保冷庫付きバッファユニットを示す図である。
【図３】保冷庫を示す図である。
【図４】保冷庫内に実装される検体容器の一例を示す図である。
【図５】保冷庫内のラックを移載する一例を示す図である。
【図６】保冷庫内のラックを移載する一例を示す図である。
【符号の説明】
【００１１】
１  保冷庫付きバッファユニット
２  投入ユニット
３  搬送部
４  収納ユニット
５  処理ユニット
１０  バッファ部
１１  保冷部
１２  ラック
１３  ハンド機構
１４  移載機構
１５  搬送部
１６  メイン搬送部
２０  保冷庫側面
２１  冷却装置
２２  検体容器
２３  保冷庫上面
２４  検体容器ａ
２５  試料
３０  保冷庫
４０  ローラ
【図１】
0003133890.tif 000003
【図２】
0003133890.tif 000004
【図３】
0003133890.tif 000005
【図４】
0003133890.tif 000006
【図５】
0003133890.tif 000007
【図６】
0003133890.tif 000008